(57)【要約】【課題】複数枚の蓄積性蛍光体シートを重ねて収容すると共に、それぞれの蓄積性蛍光体シートの取り出し、収容が容易となるカセッテ。【解決手段】カセッテ１０の筐体１２内には、底板２０上に蓄積性蛍光体シート１４Ｂが収容される。また、筐体内には、トレイ３４が設けられ、このトレイの変換用フィルタ１６上に蓄積性蛍光体シート１４Ａが収容される。これにより、カセッテでは、蓄積性蛍光体シートと変換フィルタが重ねて収容さえる。また、トレイは、筐体の奥側へ向けて移動可能となっている。これにより、カセッテでは、蓋部を開くことにより蓄積性蛍光体シート１４Ａの取出しが可能となり、さらに、トレイを筐体から押出すように移動することにより、蓄積性蛍光体シート１４Ｂの取出しが可能となる。【選択図】図３
2010054973.tif 000002
【特許請求の範囲】
【請求項１】
複数枚の蓄積性蛍光体シートが重ねて収容される筐体と、
前記筐体の端部に設けられて筐体に収容された最表層の前記蓄積性蛍光体シートを取り出し可能とする蓋部と、
それぞれに前記蓄積性蛍光体シートが収容されると共に、それぞれが互い相対移動可能に前記筐体内に収容され、筐体内に収容された状態で前記蓄積性蛍光体シートが重ねられ、筐体内で相対移動されることにより、前記蓄積性蛍光体シートの端部を選択的に前記蓋部に対向又は蓋部側から突出可能とする複数のシート収容部と、
を含むカセッテ。
【請求項２】
前記シート収容部が、前記蓄積性蛍光体シートの間に介在される放射線エネルギー変換用フィルタを含む請求項１に記載のカセッテ。
【発明の詳細な説明】
【技術分野】
【０００１】
本発明は、蓄積性蛍光体シートを収容するカセッテに関する。詳細には、複数枚の蓄積性蛍光体シートを重ねて収容するカセッテに関する。
【背景技術】
【０００２】
蓄積性蛍光体からなる層を有するシート（以下、蓄積性蛍光体シートとする）を用いて、人体などの被写体の放射線画像情報を記録することができる。放射線画像情報が記録された蓄積性蛍光体シートは、レーザ光などの励起光を照射することにより輝尽発光光が生じる。ここから、蓄積性蛍光体シートに励起光を走査しながら照射して、輝尽発光光を光学的に読み出して画像信号を得ることにより、この画像信号を用いて、写真感光材料などの記録材料、ＣＲＴなどの表示手段上で可視画像として再現することができる（エネルギーサブストラクション）。
【０００３】
この蓄積性蛍光体シートは、記録されている放射線画像情報を消去することにより、新たな放射線画像情報を記録することができる。このような蓄積性蛍光体シートは、遮光された状態で保持される必要があり、汚れの付着を防止する必要がある。
【０００４】
ここから、蓄積性蛍光体シートを収容するカセッテの提案がなされている（例えば、特許文献１参照。）。また、蓄積性蛍光体シートを収容するカセッテには、２枚の蓄積性蛍光体シートを並べて収容するカセッテや、カセッテに収容されている蓄積性蛍光体シートの取出し機構などの提案されている（例えば、特許文献２、特許文献３参照。）。
【０００５】
ところで、例えば、２枚の蓄積性蛍光体シートを重ねることにより、被写体を透過した放射線又は被写体から発せられる放射線に基づいた放射線画像情報を、２枚の蓄積性蛍光体シートに同時に記録することができる。
【０００６】
また、蓄積性蛍光体シートの間に、放射線エネルギー変換用フィルタを介在させることにより、異なる放射線強度の放射線画像情報を同時に記録することができる。
【０００７】
一方、放射線画像情報が記録された蓄積性蛍光体シートをカセッテから取り出すときには、暗室環境で行う必要がある。このとき、２枚の蓄積性蛍光体シートが収容されていると、それぞれの蓄積性蛍光体シートを別々に取り出す必要がある。また、放射線画像情報が消去された蓄積性蛍光体シートは、別々にカセッテに収容される。
【０００８】
このようなカセッテからの蓄積性蛍光体シートの取出し、蓄積性蛍光体シートのカセッテへの収容を、暗室環境で行う場合、蓄積性蛍光体シート同志が擦れたり、蓄積性蛍光体シートが放射線エネルギー変換用フィルタと擦れて損傷するのを防止する必要があり、このために、カセッテからの蓄積性蛍光体シートの取出し、収容は煩雑な作業となる。
【特許文献１】特公平８−３３５９６号公報
【特許文献２】特開２０００−２７２７６７号公報
【特許文献３】特開２００２−２０２５７１号公報
【発明の開示】
【発明が解決しようとする課題】
【０００９】
本発明は上記事実に鑑みてなされたものであり、複数枚の蓄積性蛍光体シートを収容するときに、収容している蓄積性蛍光体シートの取出し、収容作業を容易とするカセッテを提供することを目的とする。
【課題を解決するための手段】
【００１０】
上記目的を達成するために本発明は、複数枚の蓄積性蛍光体シートが重ねて収容される筐体と、前記筐体の端部に設けられて筐体に収容された最表層の前記蓄積性蛍光体シートを取り出し可能とする蓋部と、それぞれに前記蓄積性蛍光体シートが収容されると共に、それぞれが互い相対移動可能に前記筐体内に収容され、筐体内に収容された状態で前記蓄積性蛍光体シートが重ねられ、筐体内で相対移動されることにより、前記蓄積性蛍光体シートの端部を選択的に前記蓋部に対向又は蓋部側から突出可能とする複数のシート収容部と、を含む。
【００１１】
この発明によれば、筐体内に複数のシート収容部を設け、それぞれのシート収容部に蓄積性蛍光体シートを収容することにより、複数の蓄積性蛍光体シートが筐体内で重ねられる。
【００１２】
また、シート収容部は、相対移動可能となっており、これにより、複数の蓄積性蛍光体シートを、蓋部に対向する位置、又は、蓋部から突出される位置に配置可能となっている。
【００１３】
これにより、筐体内に複数の蓄積性蛍光体シートを重ねて収容しても、それぞれの蓄積性蛍光体シートを簡単に取り出すことができると共に、取り出した蓄積性蛍光体シートを、円滑にシート収容部へ収容させることができる。
【００１４】
請求項２の発明は、前記シート収容部が、前記蓄積性蛍光体シートの間に介在される放射線エネルギー変換用フィルタを含む。
【００１５】
この発明によれば、シート収容部に放射線エネルギー変換用フィルタを配置している。このときには、例えば、シート収容部が放射線エネルギー変換用フィルタ上に蓄積性蛍光体シートを収容するなどの構成を適用することができる。
【００１６】
これにより、蓄積性蛍光体シートの間に放射線エネルギー変換用フィルタが重なるように、蓄積性蛍光体シートを収容することができる。
【発明の効果】
【００１７】
以上説明したように本発明によれば、筐体内に複数の蓄積性蛍光体シートを重ねて収容しても、それぞれの蓄積性蛍光体シートを簡単に取り出すことができると共に、取り出した蓄積性蛍光体シートを、円滑にシート収容部へ収容させることができるという効果が得られる。
【００１８】
また、本発明では蓄積性蛍光体シートの間に放射線エネルギー変換用フィルタが重なるように、蓄積性蛍光体シートを収容することができる。
【発明を実施するための最良の形態】
【００１９】
以下に、図面を参照しながら本発明の実施の形態を説明する。
【００２０】
〔第１の実施の形態〕
図１及び図２には、本実施の第１の実施の形態に係る放射線カセッテ（以下、カセッテ１０とする）の概略構成が示されている。このカセッテ１０は、エネルギーサブストラクション用となっている。
【００２１】
カセッテ１０は、矩形箱体形状の筐体１２を備えている。筐体１２には、複数枚の蓄積性蛍光体シート１４が重ねられて収容される。なお、カセッテ１０では、一例として、２枚の蓄積性蛍光体シート１４Ａ、１４Ｂを重ねて収容する。
【００２２】
また、カセッテ１０には、蓄性性蛍光体シート１４Ａ、１４Ｂの間に、放射線エネルギー変換用フィルタ１６が配置されるようになっている。カセッテ１０では、この蓄積性蛍光体シート１４、１４Ｂと放射線エネルギー変換用フィルタ１６（以下、変換用フィルタとする）が重ねられた状態で収容される。
【００２３】
カセッテ１０は、任意のサイズの蓄積性蛍光体シート１４を収容するものであっても良いが、本実施の形態では、一例として、同じサイズの蓄積性蛍光体シート１４が収容される。なお、カセッテ１０の筐体１２は、収容される蓄積性蛍光体シート１４のサイズに合わせたものであればよい。
【００２４】
カセッテ１０は、薄箱状とされており、蓄積性蛍光体シート１４は、この筐体１２の一端側から引出されるようになっており、以下では、矢印Ｆ方向を前後方向の筐体１２の前側、矢印Ｒを奥側とすると共に、矢印Ｆ、Ｒ方向と交差する矢印Ｗ方向（直交する方向）を筐体１２の幅方向として説明する。
【００２５】
蓄積性蛍光体シート１４には、蓄積性蛍光体を用いた層（蓄積性蛍光体層、図示省略）が設けられており、被写体を透過した放射線又は被写体から発せられた放射線を、蓄積性蛍光体層の蓄積性蛍光体に吸収させることにより、放射線画像（放射線画像情報）が記録される。
【００２６】
また、蓄積性蛍光体シート１４は、放射線画像情報が記録されている状態で、レーザ光などの電磁波を励起光として、この励起光を走査しながら照射して、蓄積性蛍光体を時系列的に励起することにより、蓄積性蛍光体中に蓄積されている放射線エネルギーが蛍光（輝尽発光）として放出される。この輝尽発光光を光学的に読取ることにより電気信号を取得し、この電気信号に所定の画像処理を施すことにより、放射線画像情報を可視化した画像又は画像データを得ることができる。
【００２７】
変換用フィルタ１６は、銅、タングステン、モリブデンなどの重金属を用いて薄板状（例えば、厚さ０．８ｍｍ〜２．０ｍｍ程度）に形成され、所定波長の電磁波（放射線）を吸収する。
【００２８】
このカセッテ１０の筐体１２は、遮光性を有するが、放射線の透過が可能となっており、放射線が照射されることにより、筐体１２内に収容されている蓄積性蛍光体シート１４Ａ、１４Ｂに放射線画像情報が記録される。
【００２９】
このときに、蓄積性蛍光体シート１４Ａ、１４Ｂの間に変換用フィルタ１６が配置されていることにより、蓄積性蛍光体シート１４Ａ、１４Ｂに、異なる放射線画像情報が記録される。例えば、蓄積性蛍光体シート１４Ｂに照射された放射線が、蓄積性蛍光体シート１４Ｂ及び変換用フィルタ１６を通過して蓄積性蛍光体シート１４Ａへ照射された場合、蓄積性蛍光体シート１４Ｂには、高エネルギー成分の放射線画像情報が記録され、蓄積性蛍光体シート１４Ａには、低エネルギー成分の放射線画像情報が記録される。
【００３０】
放射線画像情報が記録された蓄積性蛍光体シート１４は、カセッテ１０から取り出されて、放射線画像情報の読取り、記録されている放射線画像情報の消去が行われた後に、カセッテ１０の筐体１２内に戻される。なお、ここでは、一例として筐体１２の底面側（図１及び図２の紙面下方側）から放射線が照射されるものとしている。
【００３１】
ところで、カセッテ１０の筐体１２は、天板１８と底板２０とが重ねられて形成されている。底板２０には、幅方向の両端に一対の側板２２が立設されており、この側板２２の上端部に、天板１８が掛け渡されている。天板１８は、底板２０よりも移動方向に沿った長さが短くされ、奥側に片寄って配置されている。
【００３２】
天板２０には、前側に蓋部２４が形成されている。蓋部２４は、天板１８側の蓋板２６と、筐体１２の前側の前板２８とによって略Ｌ字形状に形成されている。筐体１２は、この蓋部２４の前板２８によって前側が閉止され、天板１８と蓋板２６によって上方側が閉止されて内部が遮光される。
【００３３】
また、蓋板２６は、ヒンジ３０を介して天板１８に連結されており、これにより、底板２０から離間する方向（上方）へ回動可能となっている。図３（Ａ）及び図３（Ｂ）に示されるように、カセッテ１０は、蓋部２４を回動することにより、筐体１２の前側の端部に、蓄積性蛍光体シート１４の出し入れが可能な開口部３２が形成される。
【００３４】
なお、筐体１２には、例えば、蓋板２６が接する側板２２内に、図示しないロック機構が設けられており、このロック機構によって蓋部２４による閉止状態が保持される。また、図示しないロック解除ボタンなどが操作されることにより、ロック状態が解除されて、例えば、付勢力によって蓋部２４が回動されて開口部３２が現れるようになっている。このようなロック機構は、公知の構成を適用することができる。
【００３５】
一方、図１及び図２に示されるように、カセッテ１０には、シート収容部を形成するトレイ３４が設けられている。このトレイ３４は、一対の側板３６を備え、一対の側板３６の間に、トレイ板とされる変換用フィルタ１６が掛け渡されている。
【００３６】
トレイ３４の側板３６は、引出し、収容方向に沿った長さが、変換用フィルタ１６よりも短くなっており、変換用フィルタ１６は、奥側の端部が揃えられて取り付けられている。これにより、トレイ３４は、変換用フィルタ１６の前側の端部が、一対の側板３６の間から突出されている。
【００３７】
トレイ３４は、筐体１２の側板２２の間に配置され、側板３６が筐体１２の側板２２に対向されている。トレイ３４の側板３６は、幅寸法（カセッテ１２の上下方向に沿った寸法）が、筐体１２の側板２２よりも短くなっており、前側に脚部３８が形成されている。トレイ３４は、この脚部３８が筐体１２の底板２０へ向けて延設されている。
【００３８】
図１に示されるように、トレイ３４の側板３６には、奥側に、レール４０が設けられている。このレール４０は、長手方向が筐体１２の前後方向に沿って配置され、筐体１２の側板２２へ向けて突設されている。
【００３９】
筐体１２の側板２２には、トレイ３４のレール４０に対向されてガイド溝４２が形成されている。このガイド溝４２には、トレイ３４のレール４０が溝方向に沿って移動可能に挿入されている。これにより、トレイ３４は、筐体１２の一対の側板２２の間を、前側及び奥側（前後方向）へ移動可能となっている。
【００４０】
図１及び図２に示されるように、トレイ３４には、側板３６の上端に、連結板４４が配置されている。連結板４４は、奥側で変換用フィルタ１６の上方を覆っている。また、トレイ３４には、奥側の端部に奥板４６が取り付けられている。この奥板４６は、変換用フィルタ１６、一対の側板３６及び連結板４４によって囲われている開口を閉塞している。
【００４１】
筐体１２には、トレイ３４の奥板４６に対応して奥板４８が取り付けられている。奥板４８は、側板２２の間に掛け渡され、下端が底板２０に接合されている。この奥板４８の高さは、側板２２よりも低くなっている。
【００４２】
図２及び図３（Ａ）に示されるように、カセッテ１０では、トレイ３４が前側へ移動されたとき（以下、カセッテ１０の収容位置とする）に、この奥板４８とトレイ３４の奥板４６とによって筐体２０の奥側が閉塞されるようになっている。また、図３（Ｂ）に示されるように、カセッテ１０では、トレイ３４が、この収容位置から奥側へ移動されると、トレイ３４が筐体１２から奥側へ突出される。
【００４３】
図１及び図２に示されるように、トレイ３４には、連結板４４にノブ５０が突設されている。また、筐体１２の天板１８には、トレイ３４のノブ５０に対応してガイド孔５２が形成されている。このガイド孔５２は、筐体１２の前後方向に沿って長い長孔となっており、ノブ５０がこのガイド孔５２から突出されている。また、このガイド孔５２は、トレイ３４の連結板４４によって閉塞され、これにより筐体１２内の遮光状態が保持される。
【００４４】
これにより、トレイ３４は、ノブ５０をガイド孔５２で移動操作することにより、収容位置（図３（Ａ）に示される位置）と押出し位置（図３（Ｂ）に示される位置）との間を移動される。
【００４５】
図２及び図３（Ａ）に示されるように、カセッテ１０では、トレイ３４の変換用フィルタ１６が、蓋部２４の蓋板２６と底板２０の間に挿入され、変換用フィルタ１６の先端が前板２８に達している。また、図３（Ｂ）に示されるように、カセッテ１０では、トレイ３４が筐体１２から突出されることにより、変換用フィルタ１６が筐体１２内で移動され、底板２０と蓋板２６との間から引出される。
【００４６】
このカセッテ１０では、変換用フィルタ１６が、蓄積性蛍光体シート１４を載置可能なサイズとなっている。カセッテ１０では、トレイ３４の変換用フィルタ１６上に蓄積性蛍光体シート１４Ａが載置され、底板２０上に蓄積性蛍光体シート１４Ｂが載置される。すなわち、カセッテ１０では、底板２０上及び、トレイ３４の変換用フィルタ１６上のそれぞれが、蓄積性蛍光体シート１４のシート収容部となっている。これにより、カセッテ１０では、トレイ３４の収容位置で蓄積性蛍光体シート１４Ａ、１４Ｂの間に変換用フィルタ１６が重ねられた状態となる。
【００４７】
一方、カセッテ１０では、トレイ３４上の蓄積性蛍光体シート１４Ａと筐体１２の天板１８の間に、放射線の遮蔽、散乱防止用となる鉛シート５４と、ガイドシート５６が配置されている。
【００４８】
図２に示されるように、鉛シート５４は、トレイ３４の変換用フィルタ１６と連結板４４との間に配置され、例えば、筐体１２の奥側が、トレイ３４の側板３６及び奥板４６に連結されるなどして固定されて保持され、筐体１２の前側が自由端となっている。
【００４９】
ガイドシート５４は、例えば、ＰＰ（ポリプロピレン）などを用いた樹脂シートとなっており、一端が、蓋部２４の屈曲部（蓋板２６と前板２８の連結部分）に接合されている。また、ガイドシート５６は、他端側がトレイ３４の変換用フィルタ１６と鉛シート５４との間へ挿入されて、筐体１２の奥側へ延設された自由端となっている。
【００５０】
これにより、図３（Ａ）及び図３（Ｂ）に示されるように、カセッテ１０では、蓋部２４を開いたときにガイドシート５６によって鉛シート５４の自由端（筐体１２の前側）が持ち上げられ、変換用フィルム１６と鉛シート５４との間への蓄積性蛍光体シート１４Ａの円滑な出し入れが可能となっている。
【００５１】
このように構成されているカセッテ１０では、蓄積性蛍光体シート１４Ａ、１４Ｂが収容された状態（トレイ３４を筐体１２内に収容した状態）で、被写体を通過した放射線又は被写体から放出される放射線が、底板２０側から照射されることにより、蓄積性蛍光体シート１４Ｂに、この放射線画像情報が記録される。また、蓄積性蛍光体シート１４Ｂ及び変換用フィルタ１６を透過した放射線が蓄積性蛍光体シート１４Ａに照射されることにより、蓄積性蛍光体シート１４Ａに放射線画像情報が記録される。
【００５２】
放射線画像情報が記録された蓄積性蛍光体シート１４Ａ、１４Ｂは、カセッテ１０から取り出されて放射線画像情報の読取りが行われ、この後に、放射線画像情報が消去された状態で、カセッテ１０へ戻される。
【００５３】
ここで、図３（Ａ）及び図３（Ｂ）を参照しながら、カセッテ１０からの蓄積性蛍光体シート１４の引出し及び収容を説明する。
【００５４】
図３（Ａ）及び図３（Ｂ）に示されるように、カセッテ１０では、蓋部２４を開くことにより、筐体１２の前側の開口部３２が開かれる。ここで、図３（Ａ）に示されるように、カセッテ１０では、トレイ３４を筐体１２内に収容している状態では、蓋部２４が開かれることにより、トレイ３４上の蓄積性蛍光体シート１４Ａの端部が露出される。これにより、カセッテ１０では、開口部３２からトレイ３４上の蓄積性蛍光体シート１４Ａを取り出すことができる。
【００５５】
また、カセッテ１０では、開口部３２からトレイ３４上へ蓄積性蛍光体シート１４Ａを挿入することができる。このとき、カセッテ１０では、ガイドシート５６によって鉛シート５４の自由端が持ち上げられているので、蓄積性蛍光体シート１４Ａを、円滑に変換用フィルタ１６と鉛シート５４との間へ挿入することができる。
【００５６】
一方、トレイ３４を筐体１２内に収容している状態では、蓄積性蛍光体シート１４Ｂ上に蓄積性蛍光体シート１４Ａ及び変換用フィルタ１６が重なっているために、蓄積性蛍光体シート１４Ｂの取出しが難しい。
【００５７】
ここで、図３（Ｂ）に示されるように、カセッテ１０では、トレイ３４が筐体１２の奥側へ移動可能となっており、ノブ５０の操作によってトレイ３４を筐体１２の奥側へ移動し、このトレイ３４が筐体１２から突出されると、蓄積性蛍光体シート１４Ａ及び変換用フィルタ１６が筐体１２の内方側へ移動される。
【００５８】
これにより、カセッテ１０では、蓄積性蛍光体シート１４Ｂ上から蓄積性蛍光体シート１４Ａ及び変換用フィルタ１６が退避され、底板２０上の蓄積性蛍光体シート１４Ｂの端部が開放され、開口部３２から蓄積性蛍光体シート１４Ｂを取り出すことができる。これと共に、カセッテ１０では、底板２０上へ蓄積性蛍光体シートを挿入することができる。
【００５９】
このように、カセッテ１０では、２枚の蓄積性蛍光体シート１４Ａ、１４Ｂの間に変換用フィルタ１６を配置して重ねた状態であっても、蓄積性蛍光体シート１４Ａ、１４Ｂのそれぞれを円滑に取り出すことができると共に、取り出した蓄積性蛍光体シート１４Ａ、１４Ｂのそれぞれを円滑に収容することができる。
【００６０】
なお、第２の実施の形態では、筐体１２の天板１８にガイド孔５２を形成し、トレイ３４にノブ５０を設けて、ノブ５０を操作することにより、トレイ３４の収容及び押出しを行うようにしたが、トレイ３４の移動機構は、これに限るものではない。例えば、筐体１２の側板２２にガイド孔を設け、このガイド孔に対向して、トレイ３４の側板３６にノブを形成するものであっても良い。また、トレイ３４の移動機構は、これに限らず、筐体１２内でトレイ３４を収容位置と押出し位置との間で移動可能な構成であれば、公知の任意の構成を適用することができる。
【００６１】
また、このようなトレイ３４の移動は、カセッテ１０が放射線画像情報の読取りを行うときに装着される画像情報読取り再生装置に駆動機構を設けて、この駆動機構によって行われるものであることが好ましい。
【００６２】
〔第２の実施の形態〕
次に、本発明の第２の実施の形態を説明する。なお、第２の実施の形態において前記した第１の実施の形態と同一の構成には、同じ符号を付与してその説明を省略する。
【００６３】
図４、図５（Ａ）及び図（Ｂ）には、第２の実施の形態に係るカセッテ６０の要部の概略構成を示している。カセッテ６０は、矩形箱体形状の筐体６２を備えている。この筐体６２は、天板１８と底板２０（図４では、図示省略）が一対の側板６４及び奥板６６によって連結され、一方の面が開口されている。筐体６２の前側には、蓋部６８が取り付けられている。蓋部６８は、蓋板２６と前板７０とによって略Ｌ字形状に形成され、蓋部６８がヒンジ３０によって回動され、これにより筐体６２内が開閉される。
【００６４】
カセッテ６０には、筐体６２内に２つのトレイ７２、７４が収容される。また、筐体６２には、トレイ７２と天板１８との間に仕切り板が設けられている。
【００６５】
図５（Ａ）及び図５（Ｂ）に示されるように、カセッテ６０では、トレイ７２のトレイ板及び筐体６２内の仕切り板として、変換用フィルタ１６（変換用フィルタ１６Ａ及び、変換用フィルタ１６Ｂ）を用いている。なお、トレイ７４のトレイ板７６としては、例えばＰＰ（ポリプロピレン）等の樹脂を用いた樹脂シート又は樹脂板としている。
【００６６】
トレイ７４は、一対の側板７８がトレイ板７６によって連結され、トレイ７２は、一対の側板７８が変換用フィルタ１６Ａによって連結されている。また、変換用フィルタ１６Ｂは、筐体６２の一対の側板６４の間に掛け渡されて取り付けられている。
【００６７】
カセッテ６０では、トレイ７２、７４が、例えば、一対の側板７８をレールとして筐体６２内の収容位置（図５（Ａ）参照）と、筐体６２からの引出し位置（図４及び図５（Ｂ）参照）との間を移動可能となっている。
【００６８】
カセッテ６０では、トレイ７２、７４及び変換用フィルタ１６Ｂ上がシート収容部となっており、これにより、カセッテ６０では、３つのシート状収容部が形成され、３枚の蓄積性蛍光体シート１４（１４Ａ、１４Ｂ、１４Ｃ）が重ねられて収容される。また、カセッテ６０では、蓄積性蛍光体シート１４Ａ、１４Ｂの間に変換用フィルタ１６Ｂが配置され、蓄積性蛍光体シート１４Ｂ、１４Ｃの間に変換用フィルタ１６Ａが配置されて重ねられた状態となっている。
【００６９】
なお、図５（Ａ）及び図５（Ｂ）に示されるように、カセッテ６０には、蓄積性蛍光体シート１６Ａと天板１８との間に、鉛シート５４及びガイドシート５６が設けられ、これにより、変換用フィルタ１６Ｂ上への蓄積性蛍光体シート１４Ａの挿入が容易となっている。
【００７０】
カセッテ６０では、被写体を透過した放射線又は被写体からは発せられる放射線が底板２０に照射されることにより、この放射線によって蓄積性蛍光体シート１４Ｃに放射線画像情報が記録される。また、蓄積性蛍光体シート１４Ｂには、蓄積性蛍光体シート１４Ｃ、変換用フィルタ１６Ａを通過した放射線による放射線画像情報が記録され、蓄積性蛍光体シート１４Ａには、蓄積性蛍光体シート１４Ｂ、１４Ｃ及び変換用フィルタ１６Ａ、１６Ｂを透過した放射線による放射線画像情報が記録される。
【００７１】
ここで、図５（Ａ）及び図５（Ｂ）に示されるように、カセッテ６０では、トレイ７２、７４に止め板８０を設けており、蓋部６８を開いた状態で、例えば、止め板８０を図示しない押圧手段によって押圧することにより、トレイ７２、７４を個別に開口部８２側へ突き出すことができるようになっている。
【００７２】
このように構成されているカセッテ６０では、図５（Ａ）に示されるように、蓋部６８を閉じることにより筐体６２内が遮光された状態となる。
【００７３】
また、図５（Ｂ）に示されるように、カセッテ６０では、蓋部６８を開くことにより変換用フィルタ１６Ｂ上の蓄積性蛍光体シート１４Ａの端部が露出される。これにより、変換用フィルタ１６Ｂ上の蓄積性蛍光体シート１４Ａの引出しが可能となると共に、引出した蓄積性蛍光体シート１４Ａを、変換用フィルタ１６Ｂと鉛シート５４との間へ円滑に、かつ、確実に挿入することができる。
【００７４】
一方、カセッテ６０では、トレイ７２、７４の収容位置では、変換用フィルタ１６Ａの蓄積性蛍光体シート１４Ｂ及び、トレイ板７６上の蓄積性蛍光体シート１４Ａが蓄積性蛍光体シート１４Ａ及び変換用フィルタ１６Ｂに重ねるために、蓄積性蛍光体シート１４Ｂ、１４Ｃの取出しが難しくなっている。
【００７５】
ここで、カセッテ６０では、筐体６２の前側へのトレイ７２、７４の押し出し（引き出し）が可能となっている。ここから、図５（Ｂ）に示されるように、例えば、トレイ７２の止め板８０を押圧することにより、トレイ７２を筐体６２から押出すことができる。これにより、トレイ７２に収容されている蓄積性蛍光体シート１４Ｂの端部が露出される。また、トレイ７２を収容している状態でトレイ７４を筐体６２から突出させることにより、トレイ７４上の蓄積性蛍光体シート１４Ｃの端部が露出される。
【００７６】
これにより、カセッテ６０では、最も蓋部６８側の蓄積性蛍光体シート１４Ａのみでなく、蓄積性蛍光体シート１４Ｂ、１４Ｃを個別に取り出すことができると共に、トレイ７２上への蓄積性蛍光体シート１４Ｂの挿入及び、トレイ７４上への蓄積性蛍光体シート１４Ｃの挿入が容易となっている。
【００７７】
したがって、カセッテ６０では、３枚の蓄積性蛍光体シート１４Ａ、１４Ｂ、１４Ｃの取出し及び収容が容易となっている。
【００７８】
なお、第１の実施の形態では、２枚の蓄積性蛍光体シート１４Ａ、１４Ｂを有用刷るカセッテ１０を例に説明し、第２の実施の形態では、３枚の蓄積性蛍光体シート１４Ａ〜１４Ｃを収容するカセッテ６０を例に説明したが、本発明は、２枚以上の蓄積性蛍光体シートを収容するカセッテに適用することができる。
【００７９】
また、第１及び第２の実施の形態では、蓄積性蛍光体シート１４の間に変換用フィルタ１６を配置したが、本発明のカセッテは、変換用フィルタ１６を備えずに、実質的に蓄積性蛍光体シート１４を重ねて収容する構成であってもよく、このときには、変換用フィルタ１６に換えて、ポリプロピレンなどの放射線に対して透過性を有する材質で形成したシートを配置すればよい。
【００８０】
一方、第１の実施の形態では、トレイ３４を筐体１２の奥側に突出する構成としたが、少なくとも蓄積性蛍光体シート１４Ｂに重なる蓄積性蛍光体シート１４Ａ及び、変換用フィルタ１６を移動するものであれば良い。
【００８１】
ここから、例えば、筐体の奥板にスリット状の通過口を形成すると共に、この通過口を、弾性（伸縮性）を有する遮光部材によって閉塞する構成であっても良い。このときには、筐体から蓄積性蛍光体シート１４Ａ及び変換用フィルタ１６を、遮光部材を伸張させながらスリットから突出されるなどの構成を適用することができる。
【００８２】
また、第２の実施の形態では、トレイ７２、７４を筐体６２から前側へ押出す構成としているが、これに限らず、カセッテから蓄積性蛍光体シートが取り出し可能となるように、蓄積性蛍光体シートの端部を突出する構成であればよい。
【００８３】
さらに、第１及び第２の実施の形態では、筐体内に収容しているトレイを移動するようにしたが、底板と天板とを前後方向に相対移動可能となるように筐体を形成したものであっても良い。
【００８４】
例えば、図６に示されるカセッテ９０では、筐体９２が、天板１８、蓋板２６、側板２２及び奥板（図示省略）によって形成された本体９４と、底板２０、前板２６に加え側板９８と図示しない奥板とによって形成されたトレイ状の抽斗９６とによって形成されている。
【００８５】
本体９４には、変換用フィルタ１６が設けられ、この変換用フィルタ１６上に蓄積性蛍光体シート１４Ａが収容される。また、抽斗９６は、本体９４への収容及び、前側への引き出し位置への相対移動が可能となっており、底板２０上に蓄積性蛍光体シート１４Ｂが収容される。
【００８６】
これにより、カセッテ９０では、蓋板２６を開くことにより、変換用フィルタ１６上の蓄積性蛍光体シート１４Ａの取出し及び収容が可能となる。また、カセッテ９０では、抽斗９６を本体９４から引出すことにより、抽斗９６の底板２０上の蓄積性蛍光体シート１４Ｂの取出し及び収容が可能となる。
【００８７】
このように、本発明のカセッテは、筐体内に複数のシート収容部を設け、それぞれのシート収容部が、蓄積性蛍光体シートの引き出し方向に沿って互いに相対移動可能であれば、任意の構成であってよい。
【図面の簡単な説明】
【００８８】
【図１】第１の実施の形態に係るカセッテの要部の分解斜視図である。
【図２】第１の実施の形態に係るカセッテの要部の概略断面図である。
【図３】（Ａ）及び（Ｂ）は、第１の実施の形態に係るカセッテの要部の概略断面図であり、（Ａ）はトレイを収容している状態を示し、（Ｂ）はトレイを突出した状態を示している。
【図４】第２の実施の形態に係るカセッテの要部の概略斜視図である。
【図５】（Ａ）及び（Ｂ）は、第２の実施の形態に係るカセッテの要部の概略断面図であり、（Ａ）は蓋部を開いた状態を示し、（Ｂ）はさらにトレイの一つを引出した状態を示している。
【図６】本発明に係る他のカセッテの一例を示す要部の概略斜視図である。
【符号の説明】
【００８９】
１０、６０、９０    カセッテ
１２、６２、９２    筐体
１４（１４Ａ〜１４Ｃ）    蓄積性蛍光体シート
１６（１６Ａ、１６Ｂ）    変換用フィルタ（放射線エネルギー変換用フィルタ、シート収容部）
２０    底板（シート収容部）
３４、７２、７４    トレイ（シート収容部）
【図１】
2010054973.tif 000003
【図２】
2010054973.tif 000004
【図３】
2010054973.tif 000005
【図４】
2010054973.tif 000006
【図５】
2010054973.tif 000007
【図６】
2010054973.tif 000008